(57)【要約】【課題】  コンクリート建築物の天井貫通孔の配管施工に伴う危険な高所作業の一部を省略でき、作業員不足や作業員の高齢化対策に貢献する配管用当て板付防食具を提供する。【解決手段】  硬質素材を以て、各種配管外径寸法にわずかに大きな内径を有し貫通孔より長めの円筒本体２の外周面下端に、貫通孔より大きな外径の鍔状の当て板３を形設し、前記円筒本体２内周面に落下防止用滑り止めの複数の突起４を設ける。【選択図】  図１
2019132318.tif 000002
【特許請求の範囲】
【請求項１】
貫通孔に用いる配管用防食具であって、各種配管外径寸法よりわずかに大きな内径を有する前記貫通孔より長めの円筒本体外周面下端に適宜な幅の鍔状の当て板を形設し、前記円筒本体内周面に複数の突起を設けたことを特徴とする配管用当て板付防食具。
【請求項２】
前記当て板付防食具において、前記円筒本体と前記当て板とを異なる部材の分割構造とし、前記当て板中央の開孔周縁から前記円筒本体の内径にほぼ適合する外径を持つ周壁部を立設し、該周壁部の外周面下部と前記円筒本体内周面下部に嵌合部を形設し、前記円筒本体と前記当て板とを嵌合してなる配管用当て板付防食具。
【発明の詳細な説明】
【技術分野】
【０００１】
本発明は、鉄筋コンクリート建築物の貫通孔に用いる配管用の当て板付防食具に関する。
【背景技術】
【０００２】
鉄筋コンクリート建築物では、コンクリート躯体を貫通する配管経路に貫通孔を確保するために、実際に挿通する配管径に余裕を考慮して約５センチ大きい径のスリーブ（紙筒）をあらかじめ入れておく。
そのために、配管挿通後には貫通孔と配管との隙間をモルタルで充填する孔埋作業等が生じ、その前段作業として貫通部分の配管表面に防食や種々の処理を施す必要がある。
【０００３】
例えば、金属系の配管ではコンクリートに含まれるアルカリ成分と金属との接触による腐食防止のために貫通部分に防食テープを捲着して絶縁処理を施す必要があり、樹脂系の配管では、火災の焼損による延焼防止策のために貫通部分やその前後を不燃材で覆う等、建築基準法や消防法上のさまざまな規制がある。
また暖房や給湯配管等において、特に蒸気配管では熱による管材の伸縮幅が大きいため、若干の隙間を有するサヤ管を用いたり、配管に保護材を被着してサヤ管に挿通して伸縮に伴う配管の破損を防止している。
【０００４】
つまり、設備の用途別により使用される配管の素材は変わり、それぞれの貫通孔と配管との隙間の処理は、上下階や同階隣室への火災による延焼防止のために消防法上の詳細な規制があり、また配管挿通後にはモルタルで貫通孔の隙間を埋めるための前段作業がある。
特に床の貫通孔ではその作業が上下階に及び、下階天井面への孔埋用当て板作業は足場の上で常に上向き姿勢で行う危険な作業でもあった。
【０００５】
床貫通孔の天井面への作業を簡易に行える孔埋用当て板としては、既存品のＡパット（商品名）がある。（例えば、非特許文献１）。
しかしながら、同商品は使い捨てであることと価格との兼ね合いから、現場サイドではベニヤ板の中央部に配管径に適合する孔をあけて天井面に押し当て、ベニヤ板の落下防止を施してからモルタルで孔埋をしているところが大多数であった。
【先行技術文献】
【非特許文献】
【０００６】
【非特許文献１】株式会社アカギ、２０１７−６５  カタログ、３１９ページ
【発明の概要】
【発明が解決しようとする課題】
【０００７】
非特許文献１は、各サイズの方形状のアルミ箔材中央部に配管径ごとに適合する刻線が施されており、裏面に塗布された粘着性の接着剤で天井面に貼り付ける方法である。
しかしながら、当該天井面が濡れていたり、埃や湿気が多い箇所では接着効果が薄れて、充填したモルタルの重量でアルミ箔材が剥離・落下するという問題があった。
【０００８】
また、上下階に及ぶ貫通孔に配管を挿通する際には、消防法上による適切な処理方法及び、配管の素材に適した腐食防止策や熱膨張による伸縮等による管材破損防止のための各種処理を施す必要があり、さらには貫通孔の隙間をモルタルで埋めるために、下階での当て板作業も同時に行わなければならなかった。
【０００９】
通常は主作業である配管施工には若手作業員が従事し、当て板や孔埋等の軽作業は高齢作業員や補助作業員が行っているが、天井面への当て板作業は主に脚立や足場の上で常に上向きの姿勢で行う危険な高所作業でもある。
また、最終的に当て板を撤去する際には、再度脚立や足場の用意をして搬入設置をしなければならず、事後の片付けや搬出及び清掃等の付帯作業も必要であった。
【００１０】
しかしながら、従来から３Ｋ職場と敬遠され、昨今では少子化の影響もあって建築現場への新規就業者は減少をたどり、作業員不足とともに現場作業員の高齢化が指摘されているなか、高所作業や危険作業等への高齢作業員の従事は禁止されているのが実情である。
【００１１】
本発明は、貫通孔の配管施工時に伴う諸々の付帯工事と孔埋用当て板作業とを同時に行うことにより、危険な高所作業の一部を省略することで工程数の圧縮を図り、作業員不足や作業員の高齢化対策等、上記の課題を解決するためになされたものである。
【課題を解決するための手段】
【００１２】
貫通孔に用いる配管用防食具であり、硬質素材を以て、各種配管外径寸法よりわずかに大きな内径を有する、貫通孔より長めの円筒本体外周面下端に適宜な幅の鍔状の当て板を形設するとともに、前記円筒本体内周面には落下防止用滑り止めの複数の突起を設ける。
【発明の効果】
【００１３】
従来は上下階に及ぶ貫通孔に金属系配管を挿通する際に、配管の貫通部分に防食テープを２段重ねで捲着しているが、当該パイプが長尺の場合には作業性が悪く手間がかかり、また捲着位置寸法の測定間違い等で位置が合わずに新たに巻き直すことも多々あった。
本発明は、階下での貫通孔へ挿通する配管の接続前に当該配管に防食具を装着しておき、配管接続後に防食具を押し上げて鍔状の当て板を天井面に押し当てるだけで済む。
【００１４】
本発明は、円筒本体が絶縁用防食テープの役目を果たし、鍔状の当て板が従来のベニヤ板に相当するので、鍔状の当て板を天井面に押し当て、そのまま上階から貫通孔の隙間をモルタルで孔埋することができる。
【００１５】
また、円筒本体に挿通された配管の表面を円筒本体内部の複数個の突起が圧接して滑り止め効果を発揮するので、防食具自体の落下防止処置作業も不要になり、危険な高所作業を軽減できる。
【００１６】
本発明を用いることにより、従来の配管挿通後の隙間を塞ぐ当て板作業に供する脚立や足場材の確保や搬入及び、事後の片付けや搬出作業等の下階における作業が簡略化できる。
また、最終的に行われていた当て板の撤去作業及び、それに係わる足場材の搬出入や事後の清掃作業等の一切が不要になる。
【００１７】
つまり、本発明は上下階に及ぶ貫通孔への配管施工時に、配管表面処理対策と貫通孔の隙間の孔埋工事に付帯する作業とを同時に行なうことで危険な高所作業を減少させ、作業工数の削減につなげて利益率の向上と現場の作業員不足や、作業員の高齢化問題にも対応するものである。
【図面の簡単な説明】
【００１８】
【図１】本発明の一実施例の斜視図
【図２】本発明の一実施例の設置断面図
【図３】本発明の一実施例で保護管を装着した設置断面図
【図４】本発明に請求項２における一実施例の一部切欠き分割斜視図
【発明を実施するための形態】
【００１９】
本発明は、鉄筋コンクリート建築物の貫通孔Ｂに使用する配管用当て板付防食具１であって、硬質素材を以て、各種配管外径寸法よりわずかに大きな内径を有する、前記貫通孔Ｂより長めの円筒本体２の外周面下端に適宜な幅の鍔状の当て板を形設し、前記円筒本体２の内周面の水平方向と軸方向には落下防止用滑り止めのために複数個の突起４が適宜な間隔に設けられている。
【実施例】
【００２０】
本発明の配管用鍔付き防食具は、コンクリートの貫通孔への配管挿通時の配管表面処理と、貫通孔の隙間をモルタルで埋めるための当て板作業とを同時に行うものである。
配管用当て板付防食具は、コンクリートを貫通する配管の素材により、例えば、金属系の配管なら樹脂系の防食を兼ねた素材であり、樹脂系の配管ならば金属や不燃材質が用いられる。  また、伸縮の激しい配管や結露防止目的では、配管に被着する配管保護材の径に相当する隙間を設け、配管への影響を考慮した不燃材質等で形設されている。
【００２１】
以下に各図面を基に説明する。
図１は、本発明の一実施例の斜視図である。
本実施例では金属系配管Ｂを想定しており、防食具１は樹脂系素材で形設されている。
各種の配管外形寸法よりわずかに大きな内径と、貫通孔より長めの円筒本体２の外周面下端には貫通孔の外径より大きな鍔状の当て板３が設けられており、円筒本体２内周面の水平方向と軸方向には落下防止用滑り止めの複数個の突起４が適宜な間隔に設けられている。
【００２２】
図２は、本発明の一実施例の設置断面図である。
下階の天井貫通孔に挿通する配管Ｂの接続前に防食具１を装着しておき、配管Ｂを接続してから防食具１を押し上げて鍔状の当て板３を天井面に押し当て、そのまま上階からモルタルＣで隙間を埋める。
なお、配管Ｂが芯ずれしている場合には、上階から薄い鉄板やアルミ箔板を形状に合わせて切り抜いて上から落とし込み、隙間を塞いでからモルタルＣで隙間を埋めると良い。
【００２３】
つまり、配管Ｂに装着させた円筒本体２内周面の複数個の突起４で配管Ｂを圧接して保持し、防食具１の落下を防止すると同時に当て板３で貫通孔の隙間を塞ぐのである。
また、当て板付防食具１内への水滴侵入防止や落下防止策をより確実にするため、モルタルＣを充填する前に、円筒本体２の上部と配管Ｂとの隙間を塞ぐように防食テープ等で捲着するのが望ましい。
【００２４】
図３は、本発明の一実施例で保護管を装着した設置断面図である。
本実施例の配管用当て板付防食具１は、結露防止や伸縮幅の大きい配管Ｂや、配管素材の焼損防止目的で配管保護材Ｄ（保温筒や不燃性断熱材）の装着時に用いられる例である。
円筒本体２内周面と配管Ｂ外周面との間に配管保護材Ｄが通る適宜な間隙が設けられており、配管保護材Ｄは当て板付防食具１の円筒本体２の複数個の突起４で保持される。
【００２５】
図４は、本発明に請求項２における一実施例の一部切欠き分割斜視図である。
本実施例は、配管用当て板付防食具１の円筒本体２と当て板３とを異なる部材の分割構造とし、円筒本体２下部の勘合部６と当て板３の周壁部５の勘合部６とを嵌合するものである。
これは防火上の規制が厳しいところでは、スラブに埋設される円筒本体２は防食テープを兼ねた樹脂製とし、コンクリートＡ面に露出する当て板３は金属製にする等、円筒本体２と当て板３とが異なる素材であっても嵌合して対応できるようになされたものである。
【産業上の利用可能性】
【００２６】
建築現場においては、現場作業従事者の減少や作業員の高齢化が進むなか、現状では高齢者作業員の高所作業や危険作業等への従事は禁止されている。
本発明は、鉄筋コンクリート建築物で貫通孔への配管施工時の孔埋作業に係わる危険な高所作業の一部を省略でき、作業工数の削減を図ることで利益率の向上とともに、現場の作業員不足や作業員の高齢化問題にも貢献するものである。
【符号の説明】
【００２７】
１    防食具
２    円筒本体
３    当て板
４    突起
５    周壁部
６    嵌合部
Ａ    コンクリート
Ｂ    配管
Ｃ    モルタル
Ｄ    配管保護材
【図１】
2019132318.tif 000003
【図２】
2019132318.tif 000004
【図３】
2019132318.tif 000005
【図４】
2019132318.tif 000006
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
コンクリート建築物の貫通孔の孔埋に用いられる配管用防食具であって、孔埋部分の配管に被着させる前記貫通孔より長い円筒本体と下部のモルタル受け用当て板とから構成され、前記円筒本体は各種配管外径寸法より大きな内径を有し内部には配管保持用の複数の突起が設けられ、前記円筒本体の外周下端に前記貫通孔の径より大きな外径の鍔状の前記当て板を設けたことを特徴とする配管用当て板付防食具。
【請求項２】
前記円筒本体と前記当て板とを異なる部材の分割構造とし、前記当て板中央の開孔周縁から前記円筒本体の内径にほぼ適合する外径を持つ周壁部を立設し、該周壁部の外周面下部と前記円筒本体内周面下部に嵌合部を形設し、前記円筒本体と前記当て板とを嵌合してなる請求項１記載の配管用当て板付防食具。
【手続補正２】
【補正対象書類名】明細書
【補正対象項目名】００１２
【補正方法】変更
【補正の内容】
【００１２】
コンクリート建築物の貫通孔の孔埋に用いられる配管用防食具であり、孔埋部分の配管に被着させる円筒本体と下部の、前記貫通孔の径より大きな外径のモルタル受け用鍔状の当て板とから構成されている。
前記円筒本体は前記貫通孔より長く形成されており、前記円筒本体は各種配管外径寸法より大きな内径を有し内部には配管保持用の複数の突起が設けられている。
【手続補正３】
【補正対象書類名】明細書
【補正対象項目名】００１９
【補正方法】変更
【補正の内容】
【００１９】
本発明は、鉄筋コンクリート建築物の貫通孔Ｂに使用する配管用当て板付防食具１であり、硬質素材を以て円筒本体２と下部の鍔状の当て板３とから構成されている。
前記円筒本体２は前記貫通孔Ｂより長く形成されており、各種配管外径寸法より大きな内径を有する前記円筒本体２の内周面の水平方向と軸方向には落下防止用滑り止めのために複数個の突起４が適宜な間隔に設けられている。
下部の鍔状の当て板３は前記貫通孔Ｂの径より大きな外径に形設されている。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
コンクリート建築物の貫通孔の孔埋に用いられる配管用防食具であって、孔埋部分の配管に被着させる前記貫通孔より長い円筒本体と、前記貫通孔の径より大きな外径の鍔状のモルタル受け用当て板とを異なる部材の分割構造とし、前記円筒本体は各種配管外径寸法より大きな内径を有し内部に配管保持用の複数の突起を設け、前記当て板中央の開孔周縁から前記円筒本体の内径に適合する外径を有する周壁部を立設し、前記周壁部と前記円筒本体とを嵌合させるためにそれぞれの下部に嵌合部を形設したことを特徴とする配管用当て板付防食具。